(57)【要約】【課題】  コストダウンや薄型化を図り、ＦＰＣ等の入力用基板が剥がれるのを防ぐ。【解決手段】  液晶表示装置は、液晶表示パネル１０と、液晶表示パネル１０の背面側に設けられた光源２０と、液晶表示パネル１０および光源２０を収容し、かつ上方および下方にそれぞれ上方開口および下方開口を有する枠状のフレーム４とを少なくとも備える。液晶表示パネル１０は、光源２０側に配置されたＴＦＴ基板６と、ＣＦ基板７と、両基板６，７の間に介在する液晶層と、ＴＦＴ基板６上に形成され、かつ前記液晶層を駆動させるための薄膜駆動回路１６と、ＣＦ基板７の正面に設けられ、かつＣＦ基板７の周縁から張り出した張出し部８１を有する表偏光板８とを備える。表偏光板８はフレーム４の前記上方開口を塞ぎ、張出し部８１はフレーム４の上端面に固定されている。【選択図】  図３
2008197125.tif 000002
【特許請求の範囲】
【請求項１】
液晶表示パネルと、前記液晶表示パネルの背面側に設けられた光源と、前記液晶表示パネルおよび前記光源を収容し、かつ上方および下方にそれぞれ上方開口および下方開口を有する枠状のフレームとを少なくとも備えた液晶表示装置であって、
前記液晶表示パネルは、前記光源側に配置された第１基板と、前記第１基板に対向する第２基板と、前記第１基板および前記第２基板の間に介在する液晶層と、前記第１基板上に形成され、かつ前記液晶層を駆動させるための薄膜駆動回路と、前記第２基板の正面に設けられ、かつ前記第２基板の周縁から張り出した張出し部を有する光学機能シートとを備え、
前記光学機能シートは前記フレームの前記上方開口を塞ぎ、前記張出し部は前記フレームの上端面に固定されている液晶表示装置。
【請求項２】
前記光源は、前記液晶表示パネル側に光を出射する導光板と、前記導光板の背面に設けられ、かつ前記導光板の周縁から張り出した張出し部を有する反射シートとを備え、前記反射シートは前記フレームの前記下方開口を塞ぎ、前記反射シートの前記張出し部は前記フレームの下端面に固定されている請求項１に記載の液晶表示装置。
【請求項３】
前記第１基板に接続され、かつ外部から前記薄膜駆動回路に信号を入力するための入力用基板をさらに備えており、前記入力用基板の一部が前記フレームの前記上端面と前記光学機能シートの前記張出し部とに挟まれている請求項１に記載の液晶表示装置。
【発明の詳細な説明】
【技術分野】
【０００１】
本発明は、液晶表示パネルと、前記液晶表示パネルの背面側に設けられた光源と、前記液晶表示パネルおよび前記光源を収容するフレームとを少なくとも備えた液晶表示装置に関する。
【背景技術】
【０００２】
特許文献１には、液晶表示パネルとバックライトユニットの固定構造が開示されている。この固定構造は、液晶表示パネルの視認側に貼付されている偏光板が、前記液晶表示パネルのガラス基板の外形よりも大きく形成されており、前記ガラス基板より張り出した前記偏光板の張出部が前記フレームの上端に接着され、前記液晶表示パネルと前記バックライトユニットとが固定されていることを特徴とする。この固定構造によれば、狭額縁化および耐衝撃性の向上が図られる。
【特許文献１】特開2005-49450号公報
【発明の開示】
【発明が解決しようとする課題】
【０００３】
しかし、特許文献１の固定構造では、同文献の図２に示すように、視認側に配置された第２の基板５の背面にドライバＩＣチップが搭載され（同文献の〔0017〕を参照）、突出部５ａが露出しているので、外部から突出部５ａに入射した光がドライバＩＣの誤動作を生じさせるおそれがある。外部からの光漏れを防ぐためには、非常に高価な遮光テープや遮光シートを突出部５ａに貼り付ける必要があるので、コスト高となる。
【０００４】
また、第２の基板５の背面に搭載されるドライバＩＣチップは第１の基板４よりも厚みが大きいので、ドライバＩＣチップの空間を確保するために、バックライトユニット３の厚みが大きくなる。
【０００５】
さらに、ＦＰＣ（フレキシブルプリント基板）は異方性導電膜（ＡＣＦ）を介して第２の基板５に熱圧着されており、ＦＰＣは剥き出し状態である。このため、ＦＰＣの取り回しなどにより熱圧着部に応力が加わって、ＦＰＣの剥がれる現象がある。したがって、取り扱いに注意が必要であり、歩留まりも悪い。さらに、剥がれたＦＰＣはリワークをする必要があるので、工数が増える。
【０００６】
本発明の目的の１つはコストダウンを図ることである。本発明の他の目的は薄型化を図ることである。本発明のさらに他の目的はＦＰＣ等の入力用基板が剥がれるのを防ぐことである。
【課題を解決するための手段】
【０００７】
本発明は、液晶表示パネルと、前記液晶表示パネルの背面側に設けられた光源と、前記液晶表示パネルおよび前記光源を収容するフレームとを少なくとも備えた液晶表示装置を提供する。前記液晶表示パネルは、前記光源側に配置された第１基板と、前記第１基板に対向する第２基板と、前記第１基板および前記第２基板の間に介在する液晶層と、前記第１基板上に形成され、かつ前記液晶層を駆動させるための薄膜駆動回路と、前記第２基板の正面に設けられ、かつ前記第２基板の周縁から張り出した張出し部を有する光学機能シートとを備える。前記光学機能シートは前記フレームの前記上方開口を塞ぎ、前記張出し部は前記フレームの上端面に固定されている。
【０００８】
薄膜駆動回路は、典型的にはフルモノリシック集積駆動回路であり、フォトリソグラフィ法等により第１基板上に形成された回路である。光学機能シートは、基板の外側に設けられ、光に対して何らかの作用を及ぼす面状部材であり、例えば偏光板や位相差板を含む。
【０００９】
前記光源は、前記液晶表示パネル側に光を出射する導光板と、前記導光板の背面に設けられ、かつ前記導光板の周縁から張り出した張出し部を有する反射シートとを備えていても良い。この場合、前記反射シートは前記フレームの前記下方開口を塞ぎ、前記反射シートの前記張出し部は前記フレームの下端面に固定されていることが好ましい。
【００１０】
本発明の液晶表示装置は、前記第１基板に接続され、かつ外部から前記薄膜駆動回路に信号を入力するための入力用基板をさらに備えていても良い。この場合、前記入力用基板の一部が前記フレームの前記上端面と前記光学機能シートの前記張出し部とに挟まれていることが好ましい。入力用基板としては、ＦＰＣやヒートコネクタ等のインターフェースが挙げられる。
【発明を実施するための最良の形態】
【００１１】
図面を参照しながら、本発明の実施形態を説明する。なお、以下の実施形態では、ＴＦＴ（薄膜トランジスタ）液晶表示装置を例にして説明する。
【００１２】
図１は本実施形態の液晶表示装置を模式的に示す平面図、図２は図１中のII−II線断面図、図３は図１中のIII −III 線断面図である。本実施形態の液晶表示装置は、液晶表示パネル１０と、液晶表示パネル１０の背面側（観察者側に対して反対側）に設けられた光源２０と、液晶表示パネル１０および光源２０を収容するフレーム４とを備える。
【００１３】
液晶表示パネル１０は、光源２０側に配置されたカラーフィルタガラス基板（以下、ＣＦ基板と言う。）７と、ＣＦ基板７に対向するＴＦＴガラス基板（以下、ＴＦＴ基板と言う。）６と、ＣＦ基板７およびＴＦＴ基板６の間に介在する液晶層（不図示）と、ＴＦＴ基板６上に形成され、かつ前記液晶層を駆動させるための薄膜駆動回路１６を備える。ＣＦ基板７の正面およびＴＦＴ基板６の背面には、表偏光板８および裏偏光板５がそれぞれ設けられている。ＴＦＴ基板６の周縁には端子部（不図示）が設けられ、ＡＣＦを介してＦＰＣ９が端子部に熱圧着されている。
【００１４】
ＴＦＴ基板６にはマトリクス状に配置された複数の画素電極（不図示）が形成され、ＣＦ基板７には共通電極（不図示）が形成されている。マトリクス状に配置された複数の画素電極は、それぞれの電圧印加を制御するＴＦＴ（不図示）に接続されている。ＴＦＴに接続されたソース配線やゲート配線は、ＴＦＴ基板６の周縁領域まで延びて薄膜駆動回路１６に接続されている。ＦＰＣ９を介して外部から薄膜駆動回路１６に信号が入力されると、薄膜駆動回路１６からＴＦＴ駆動用信号が出力され、マトリクス状に配置された複数の画素電極への電圧印加が制御される。これにより、画素ごとに液晶層の透過率が制御されて、階調表示が行われる。
【００１５】
光源２０は、液晶表示パネル１０側に光を出射する導光板２と、導光板２の端面に配置されたＬＥＤ（発光ダイオード）１２と、ＬＥＤ１２を搭載するＦＰＣ１３と、導光板２の正面に設けられたレンズシート類（拡散シートやレンズシート等）３と、導光板２の背面に設けられた反射シート１とを備える。
【００１６】
フレーム４は、液晶表示パネル１０および光源２０の周囲を囲むように形成された枠状であり、上方および下方にそれぞれ上方開口および下方開口を有する。フレーム４の上端面４１は、液晶表示パネル１０のＣＦ基板７の正面と略同一の高さである。但し、フレーム４の一側壁の上端面４１には、ＦＰＣ９を外部へ引き出すための凹部が形成されている。
【００１７】
表偏光板８はＣＦ基板７の周縁（四辺）から張り出した張出し部８１を有する。言い換えれば、表偏光板８はＣＦ基板７よりも大きく、平面視において側方にＣＦ基板７の四辺から張り出している。表偏光板８の張出し部８１は、フレーム４の上端面４１に固定されている。これにより、フレーム４の上方開口が表偏光板８により塞がれる。
【００１８】
従来の液晶表示装置では、フレームと液晶表示パネルを両面テープ（遮光タイプ）により固定する場合、遮光両面テープで覆われていない個所、例えば遮光両面テープよりも外側（ブラックマスクの外側）や、フレームと液晶表示パネルの隙間などから光漏れが生じるおそれがある。
【００１９】
本実施形態では、表偏光板８がフレーム４の上方開口を塞いでいる。偏光板は、入射した光のうち所定方向に振動する光のみを透過させるので、入射光の光量を減少させる機能を有する。したがって、表偏光板８がフレーム４の上方開口を塞ぐことにより、ＴＦＴ基板６の薄膜駆動回路１６に外部から入射される光量を減少させることができ、薄膜駆動回路１６の誤動作を防ぐことができる。すなわち、薄膜駆動回路１６を遮光するための高価な遮光テープや遮光シートが不要となる。
【００２０】
また、本実施形態によれば、表偏光板８の張出し部８１がフレーム４の上端面４１に固定されているので、液晶表示パネル１０を光源２０（バックライト）に固定するための遮光両面テープが不要となる。遮光両面テープは非常に高価な両面テープである。したがって、遮光テープや遮光両面テープを廃止することによって、部材コストの削減、工数削減などのコストダウンの効果が得られる。
【００２１】
さらに、表偏光板８の張出し部８１がフレーム４の上端面４１に直接固定されているので、液晶表示パネル１０の表示面に衝撃が加わった場合、衝撃が表示面とフレーム４に分散されるので、液晶表示パネル１０の破損を防ぐことができる。
【００２２】
本実施形態の液晶表示パネル１０は、ＴＦＴ基板６上に形成された駆動回路が薄膜駆動回路１６であるので、薄型化を実現することができる。したがって、液晶表示パネル１０を収容するためのフレーム４が薄型化され、結果的に超薄型液晶モジュールを実現することができる。
【００２３】
本実施形態では、ＦＰＣ９の一部９１は、フレーム４の凹部底面に設けられた両面テープ１４と表偏光板８の張出し部８１とに挟まれている。これにより、ＦＰＣ９の取り扱いが悪い場合であっても、ＦＰＣ９の圧着部（ＴＦＴ基板６の端子部）に応力が直接加わらないので、ＦＰＣ９が剥がれることによる表示不良などが起こり難い。なお、両面テープ１４は無くても良い。
【００２４】
導光板２の背面に設けられた反射シート１は、導光板２の周縁（四辺）から張り出した張出し部１１を有する。言い換えれば、反射シート１は導光板２よりも大きく、導光板２の四辺から張り出している。反射シート１の張出し部１１は、フレーム４の下端面４２に固定されている。これにより、フレーム４の下方開口が反射シート１により塞がれる。反射シート１の張出し部１１とフレーム４の下端面４２は、両面テープや糊などを介して接着することができる。あるいは、反射シート１に両面テープを貼らずに、反射シート１を覆うＰＥＴ（ポリエチレンテレフタレート）テープに両面テープを貼り付けて、反射シート１を固定しても良い。
【００２５】
本実施形態の液晶表示装置は、フレーム４の上方開口が表偏光板８により塞がれ、フレーム４の下方開口が反射シート１により塞がれている。また、フレーム４の一側壁の上端面４１に形成された凹部と表偏光板８の張出し部８１との隙間は、ＦＰＣ９の一部９１と両面テープ１４により塞がれている。したがって、液晶表示装置の内部が密閉され、液晶表示装置の内部に外部からゴミや塵が進入する経路を絶つことができる。これにより、液晶モジュール（液晶表示装置）完成後の運送時、セット組込み時およびセット組込み後に、ゴミや塵が内部に進入する可能性を限りなくゼロに近づけることが可能となる。なお、セット組込みとは、例えば携帯電話の筐体に液晶モジュールを組み込むことを言う。
【００２６】
表偏光板８をＣＦ基板７に貼る手順は特に限定されない。例えば、ＦＰＣ９がＴＦＴ基板６に圧着された液晶表示パネル１０をフレーム４内に収容した後に、ＣＦ基板７の正面、フレーム４の上端面４１およびＦＰＣ９の一部９１の正面に対して、表偏光板８を貼り合わせる。あるいは、液晶表示パネル（ＦＰＣ圧着済）１０のＣＦ基板７の正面に表偏光板８を予め貼り、表偏光板８の張出し部８１をラミネートなどで保護する。液晶表示パネル１０をフレーム４内に収容する際に、ラミネートを剥がして、フレーム４の上端面４１に張出し部８１を貼り合わせる。反射シート１を導光板２に貼る手順についても特に限定されない。
【００２７】
以上、実施形態に基づいて本発明を説明したが、本発明の技術的範囲は上記実施形態に記載の範囲には限定されない。上記実施形態は例示であり、それらの各構成要素や各処理プロセスの組合せに、さらにいろいろな変形例が可能なこと、またそうした変形例も本発明の範囲にあることは当業者に理解されるところである。
【００２８】
例えば、上記実施形態では、表偏光板８がフレーム４の上方開口を塞いでいるが、表偏光板８とＣＦ基板７との間に介在する位相差板がフレーム４の上方開口を塞いでいても良い。また、上記実施形態の光源２０は、ＬＥＤ１２が導光板２の端面に配置されたエッジライト式バックライトであるが、ＬＥＤや冷陰極蛍光ランプが面内に多数配置されたエリアライト式バックライトであっても良い。さらに、上記実施形態の液晶表示装置はＴＦＴを用いたアクティブマトリクス型液晶表示装置であるが、ＭＩＭ(Metal Insulator Metal) などの二端子素子をスイッチ素子とするアクティブマトリクス型液晶表示装置やパッシブ（マルチプレックス）駆動型液晶表示装置にも本発明を適用することができる。また、透過型のみならず、透過反射両用型の液晶表示装置にも本発明を適用することができる。
【産業上の利用可能性】
【００２９】
本発明の液晶表示装置は、デジタルスチルカメラ、携帯電話、ＰＤＡ（Personal Digital Assistance ）、液晶テレビ、ノートパソコン、パーソナルコンピュータ用ディスプレイ、カーナビゲーションシステムのディスプレイ、ゲームやパチンコなどのアミューズメント機器などに利用することができる。
【図面の簡単な説明】
【００３０】
【図１】本実施形態の液晶表示装置を模式的に示す平面図である。
【図２】図１中のII−II線断面図である。
【図３】図１中のIII −III 線断面図である。
【符号の説明】
【００３１】
１      反射シート
２      導光板
４      フレーム
５      裏偏光板
６      ＴＦＴ基板
７      ＣＦ基板
８      表偏光板
９      ＦＰＣ
１０      液晶表示パネル
１１      反射シートの張出し部
１２      ＬＥＤ
１３      ＦＰＣ
１４      両面テープ
１６      薄膜駆動回路
２０      光源
４１      フレームの上端面
４２      フレームの下端面
８１      表偏光板の張出し部
９１      ＦＰＣの一部
【図１】
2008197125.tif 000003
【図２】
2008197125.tif 000004
【図３】
2008197125.tif 000005